(57)【要約】【課題】洗面化粧台等のキャビネットの側面と壁面との間に隙間を形成することなく、しかも幅木に手を加えずにキャビネットを施工できるようにする。【解決手段】本発明は、幅木４を有する壁面２へ洗面化粧台Ｓ等のキャビネット１を設置する場合にあって、キャビネット１の側面と壁面２との間に幅木４の厚み寸法以上の厚み寸法を有するパネル４を配置している。そして、当該パネル５の下面側に、パネル５の下面側に形成される空間の断面形状と略同形状の表面材８を備えた下部被覆材３を配置している。つまり、壁面２とキャビネット１との間に、下方に下部被覆部材３を配設し、その上方にパネル５を配設し、隙間が形成されないように且つ見栄えよく、施工も簡単に行えるようにしている。【選択図】  図１
2005177073.tif 000002
【特許請求の範囲】
【請求項１】
幅木を有する壁面へ洗面化粧台等のキャビネットを設置する構造において、キャビネットの側面と壁面との間に幅木の厚み寸法以上の厚み寸法を有するパネルを配置すると共に、当該パネルの下面側に、パネルの下面側に形成される空間の断面形状と略同形状の表面材を備えた下部被覆材を配置したことを特徴とするキャビネットの設置構造。
【請求項２】
幅木を有する壁面へ洗面化粧台等のキャビネットを設置する構造において、キャビネットの側面と壁面との間の床面上に脚片を設置すると共に、当該脚片上に幅木の厚み寸法以上の厚み寸法を有するパネルを配置すると共に、当該パネルの下面側に、パネルの下面側に形成される空間の断面形状と略同形状の表面材を備えた下部被覆材を配置したことを特徴とするキャビネットの設置構造。
【発明の詳細な説明】
【技術分野】
【０００１】
本発明は、幅木を有する壁面へ洗面化粧台等のキャビネットの側面を隙間なく設置する構造に関するものである。
【背景技術】
【０００２】
洗面化粧台等の家具類を壁面に対して設置する場合は、洗面化粧台等のキャビネットの側面を壁面へ密着させて隙間なく設置し、壁面との間に空間が形成されないようにしている。これは、壁面とキャビネットの側面との間に空間が形成されると、当該空間にゴミや埃等が堆積し、見栄えが悪い上に不衛生となるからである。ところが、床面との境界部に、幅木を有する壁面にあっては、幅木の厚みの分だけ壁面とキャビネットの側面との間に隙間が形成される。そのため、従来にあっては、特許文献１及び２に示すように、洗面化粧台の幅木と干渉する部分に、幅木の寸法に合った形状の引っ込み段差部を設けて幅木と干渉することがないようにしている。また特許文献１には、壁面と洗面化粧台の側面との間に、保護板（パネル）を配置し、これを壁面へ取り付ける技術が開示されている。
【特許文献１】特開２００１ー２０４５６３号公報
【特許文献２】特開２００２ー３３０８３２号公報
【発明の開示】
【発明が解決しようとする課題】
【０００３】
ところが、前記特許文献１及び２に示すように、引っ込み段差部を設ける構成にあっては、幅木の寸法誤差があることを見込んで、引っ込み段差部を大きく形成している。そのため、引っ込み段差部と壁面と幅木と床面との間に隙間が形成され、見栄えが悪く、やはりこの隙間部分を通じてゴミや埃等が堆積するという問題があった。
【０００４】
また特許文献１に示すように、壁面と洗面化粧台の側面との間に、保護板（パネル）を配置し、これを壁面へ取り付ける場合は、予め壁面と隣接する洗面化粧台の奥行き寸法に相当する長さの幅木を切除しなければならず、面倒な作業であった。しかも、保護板の厚みを幅木の厚みと同じにしなければ、幅木自体に段差が生じ、見栄えが悪く、つまづく原因になるという欠点があった。
【０００５】
本発明は従来の前記課題に鑑みてこれを改良除去したものであって、洗面化粧台等のキャビネットの側面と壁面との間に隙間を形成することなく、しかも幅木に手を加えずに施工することのできるキャビネットの設置構造を提供せんとするものである。
【課題を解決するための手段】
【０００６】
而して、前記課題を解決するために本発明が採用した請求項１の手段は、幅木を有する壁面へ洗面化粧台等のキャビネットを設置する構造において、キャビネットの側面と壁面との間に幅木の厚み寸法以上の厚み寸法を有するパネルを配置すると共に、当該パネルの下面側に、パネルの下面側に形成される空間の断面形状と略同形状の表面材を備えた下部被覆材を配置したことを特徴とするキャビネットの設置構造である。
【０００７】
本発明が採用した請求項２の手段は、幅木を有する壁面へ洗面化粧台等のキャビネットを設置する構造において、キャビネットの側面と壁面との間の床面上に脚片を設置すると共に、当該脚片上に幅木の厚み寸法以上の厚み寸法を有するパネルを配置すると共に、当該パネルの下面側に、パネルの下面側に形成される空間の断面形状と略同形状の表面材を備えた下部被覆材を配置したことを特徴とするキャビネットの設置構造である。
【発明の効果】
【０００８】
請求項１の発明にあっては、キャビネットの側面と壁面との間に、幅木の厚み寸法以上の厚み寸法を有するパネルを配置し、パネルの下面側に空間を形成している。そして、該空間に、空間の断面形状と略同形状の表面材を備えた下部被覆部材を配置することにより、隙間を無くすようにしている。このようなキャビネットの設置構造であれば、キャビネット側面と壁面との間に隙間が形成されることがなく、見栄えもよい。また幅木自体を予め切除する等の準備作業は全く不要である。
【０００９】
請求項２の発明にあっては、キャビネットの側面と壁面との間にパネルを配設するに際し、床面上の脚片にパネルを載置して設置することにより、高さ調節を全く不要としている。その他の構成並びに作用効果は、前記請求項１の場合と同じである。
【発明を実施するための最良の形態】
【００１０】
以下に、本発明の構成を図面に示す発明の実施の形態に基づいて説明すると次の通りである。図１は本発明の第１の実施の形態に係るものであり、図（Ａ）は洗面化粧台Ｓのキャビネット１を壁面２に寄せて設置した場合の斜視図、図（Ｂ）は下部被覆部材３と幅木４との関係を示す斜視図である。同図に示す如く、この実施の形態にあっては、洗面化粧台Ｓのキャビネット１の側面と壁面２との間に、幅木４の厚み寸法よりも大きな厚み寸法を有するパネル５を準備している。これにより、幅木４があっても、必ずパネル５と洗面化粧台Ｓのキャビネット１の側面とが接合するようになる。パネル５は、キャビネット１の奥行き寸法よりも僅かに大きい幅寸法を有し、また洗面化粧台Ｓのカウンター６の高さ寸法よりもかなり大きな高さ寸法を有している。これは洗面器使用時に、洗面鉢から飛び跳ねた水滴が壁面２へ直接かからないようにするためのものである。
【００１１】
パネル５は、幅木４よりも高い位置に固定される。そのため、パネル５の下端面側には当該パネル５の下端面と、壁面２と、幅木４と、洗面化粧台Ｓのキャビネット１の側面と、床面とで囲まれた空間が形成される。この実施の形態では、木材７に表面材（化粧ベニヤ等）８を貼着した下部被覆部材３を前記空間の断面形状と略同形状に現場においてカットして当該空間に配設している。これにより、前記空間は閉塞され、室内側から見ることはできない。
なお、パネル５及び下部被覆部材３は、予めキャビネット１の側面にビス等により取り付けておくことが可能であり、また壁面２側へ取り付けておくことも可能である。
【００１２】
このように洗面化粧台のキャビネット１の側面と壁面２との間に、パネル５を配設し、パネル５の下端側に形成される空間に下部被覆部材３を配設したので、キャビネット１の側面と壁面２との間に隙間が形成されることがなく、ゴミや埃などが堆積するのを防止することができる。またパネル５や幅木４を現場において切断したり、寸法合わせを行う必要がなく、しかもパネル５はビスで取り付けるだけであり、極めて簡単な取り付け作業となる。
【００１３】
図２は本発明の第２の実施の形態に係るものであり、パネル５の高さ位置を一義的に決定する脚片を用いるようにしたものである。同図の図（Ａ）に示す脚片９の場合は、パネル下端面に対する取付面９Ａから二本の脚部９Ｂ，９Ｃが折り曲げ形成されており、左右のいずれの壁面へ取り付けるかによって脚部９Ｂ，９Ｃの一方を切除して残った脚片が幅木４と干渉しないようにして使用する。取り付けは、ビスでパネル５の下端面側に固定すればよい。また同図の図（Ｂ）に示す脚片１０の場合は、Ｌ字状を成しており、パネル５の下端面に対する取付面１０Ａに両面粘着テープ１１を貼り付けて貼着により取り付けるか又はビスを用いて取り付けるようにすればよい。
このように脚片９，１０等により、パネル５の設置高さを決定することにより、洗面化粧台のキャビネット１の側面や壁面２へパネル５を固定する場合の高さ調整が容易である。その他の構成並びに作用効果は、前記第１の実施の形態の場合と同じである。
【００１４】
ところで、本発明は上述した実施の形態に限定されるものではなく、適宜の変更が可能である。例えば、洗面化粧台Ｓのキャビネット１の場合を説明したが、キャビネット１は台所の流し用のものであってもよく、その他のキャビネットであってもよい。また下部被覆部材３は、化粧ベニヤ板などからなる表面材をＬ字状に形成し、現場において幅木４の形状並びにパネル５の下方側に形成される空間の断面形状に応じてこれを切断し、キャビネット１の側面へ両面粘着テープで貼着又はビス固定するようにしてもよい。更に、脚片はパネル５の高さを調節でき且つパネル５の下面と床面との間に配設できるものであれば、その形状や取付手段等は適宜の変更が可能である。
【図面の簡単な説明】
【００１５】
【図１】本発明の第１の実施の形態に係るものであり、図（Ａ）は洗面化粧台のキャビネットを壁面に寄せて設置した場合の斜視図、図（Ｂ）は下部被覆部材と幅木との関係を示す斜視図である。
【図２】本発明の第２の実施の形態に係るものであり、図（Ａ）はパネルと脚片との取付関係を示す斜視図、図（Ｂ）はパネルと別の脚片との取付関係を示す斜視図である。
【符号の説明】
【００１６】
Ｓ…洗面化粧台、１…キャビネット、２…壁面、３…下部被覆部材、４…幅木、５…パ  ネル、６…カウンター、７…木材、８…表面材、９…脚片、９Ａ…取付面、９Ｂ，９Ｃ  …脚部、１０…脚片、１０Ａ…取付面、１１…両面粘着テープ
【図１】
2005177073.tif 000003
【図２】
2005177073.tif 000004